(57)【特許請求の範囲】
【請求項１】
収納庫の奥壁から前方に所定間隔を隔てた位置で左右に間隔を隔てて複数本の支柱を立設し、収納庫の奥行き方向である前後方向に長手方向を向けて配置した天枠材を支柱の上端に連結し、支柱の上端と略同レベルで奥壁に沿って水平にレール材を取着し、天枠材の後端に設けた引っ掛け部をレール材の引っ掛け溝に引っ掛け係止し、左右に隣り合う天枠材間に天板を懸架して取り付け、上記支柱を天板の前端より後側に位置させたことを特徴とする収納ラック。
【請求項２】
天枠材の上面に長手方向に亙るように凹溝を凹設し、縦片と下横片とで断面略Ｌ字状に形成せる天板受け材の縦片の上端から下横片と反対方向に上横片を突設すると共に上横片の先端から垂下片を垂下し、天板受け材の縦片を天枠材の側面に沿わせると共に上横片を天枠材の上面に沿わせて垂下片を天枠材の凹溝に挿入係止し、天板受け材の縦片から天枠材にねじを螺入して固定し、天板の端部を天板受け材の下横片に載設したことを特徴とする請求項１記載の収納ラック。
【請求項３】
床面に設置する台座に台座の中心から偏心した位置で高さ調整用のアジャスターボルトを立設し、支柱の下端に設けた調整ねじ穴にアジャスターボルトを螺合したことを特徴とする請求項１または請求項２記載の収納ラック。
【請求項４】
支柱の下端に調整ねじ穴を位置をずらせて複数個形成したことを特徴とする請求項３記載の収納ラック。
【発明の詳細な説明】
【０００１】
【発明の属する技術分野】
本発明は、クローゼットのような収納庫内に設置する収納ラックに関するものである。
【０００２】
【従来の技術及び発明が解決しようとする課題】
クローゼットのような収納庫に収納ラックを設置する場合、天板の左右の前後、つまり天板の四隅に支柱が位置するように支柱を立設して天板を支持していた。
【０００３】
ところが、上記従来例では天板の前後に支柱を立設しなければ天板を支持できないため数多くの支柱を要するという問題がある。また天板の前端に対応する位置に支柱を立設しなければならないために収納物を出し入れする部分に支柱が位置して収納物の出し入れの弊害となるという問題がある。さらに支柱で自立させているだけのために地震等で倒れたりしやすいという問題がある。
【０００４】
本発明は上記の点に鑑みてなされたものであり、支柱の本数を少なくすることができ、しかも支柱を天板の前端より後側に位置させて邪魔にならないようにでき、さらに地震等の振動でも倒れたりしないようにできる収納ラックを提供することを課題とするものである。
【０００５】
【課題を解決するための手段】
上記課題を解決するための本発明の収納ラックは、収納庫１の奥壁２から前方に所定間隔を隔てた位置で左右に間隔を隔てて複数本の支柱３を立設し、収納庫１の奥行き方向である前後方向に長手方向を向けて配置した天枠材４を支柱３の上端に連結し、支柱３の上端と略同レベルで奥壁２に沿って水平にレール材５を取着し、天枠材４の後端に設けた引っ掛け部６をレール材５の引っ掛け溝７に引っ掛け係止し、左右に隣り合う天枠材４間に天板８を懸架して取り付け、上記支柱３を天板８の前端より後側に位置させたことを特徴とする。支柱３の上端と略同レベルで奥壁２に沿って水平にレール材５を取着し、天枠材４の後端に設けた引っ掛け部６をレール材５の引っ掛け溝７に引っ掛け係止し、左右に隣り合う天枠材４間に天板８を懸架して取り付けたことにより、天板８の後部をレール材５を介して奥壁２で支持でき、従来に比べて支柱３の本数を減らすことができ、また支柱３の位置を天板８の前端より後側に位置させて収納物の出し入れをしやすくでき、さらに奥壁２に固定して地震等の振動にても倒れないようできる。
【０００６】
また天枠材４の上面に長手方向に亙るように凹溝９を凹設し、縦片１０ａと下横片１０ｂとで断面略Ｌ字状に形成せる天板受け材１０の縦片１０ａの上端から下横片１０ａと反対方向に上横片１０ｃを突設すると共に上横片１０ｃの先端から垂下片１０ｄを垂下し、天板受け材１０の縦片１０ａを天枠材４の側面に沿わせると共に上横片１０ｃを天枠材４の上面に沿わせて垂下片１０ｄを天枠材４の凹溝９に挿入係止し、天板受け材１０の縦片１０ａから天枠材４にねじ１１を螺入して固定し、天板８の端部を天板受け材１０の下横片１０ｂに載設したことを特徴とすることも好ましい。天板を天枠材４に支持する天板受け材１０を天枠材４に取り付けるとき、天板受け材１０の縦片１０ａを天枠材４の側面に沿わせると共に上横片１０ｃを天枠材４の上面に沿わせて垂下片１０ｄを天枠材４の凹溝９に挿入係止することにより、天板受け材１０を天枠材４に仮止めし、この状態で天板受け材１０の縦片１０ａから天枠材４にねじ１１を螺入して固定することができるものであって、天板受け材１０を所定位置に容易に取り付けることができる。
【０００７】
また床面に設置する台座１２に台座１２の中心から偏心した位置で高さ調整用のアジャスターボルト１３を立設し、支柱３の下端に設けた調整ねじ穴１４にアジャスターボルト１３を螺合したことを特徴とすることも好ましい。アジャスターボルト１３を調整ねじ穴１４に対して回転操作してアジャストすることで台座１２を床面に設置できる。支柱３に対してアジャスターボルト１３と一緒に台座１２を回転することにより支柱１に対する台座１２の位置を変えることができ、邪魔にならない位置で台座１２を床面に設置できる。
【０００８】
支柱の下端に調整ねじ穴１４を位置をずらせて複数個形成したことを特徴とすることも好ましい。アジャスターボルト１３を螺合する調整ねじ穴１４を変えることでさらに台座１２の位置を変えることができ、さらに邪魔にならない位置で台座１２を床面に設置できる。
【０００９】
【発明の実施の形態】
建物の部屋の端部には図１、図２に示すようにクローゼットのような収納庫１を設けてあり、この収納庫１の奥壁２と反対の前面の開口には開閉自在な扉１６を装着してある。この収納庫１内には次のように収納ラックを設置してある。収納庫１の奥壁２に上部には水平にレール材５を沿わせて配置してあり、レール材５から奥壁２にビス等の固着具を打入してレール材５を装着してある。このビス等の固着具にて固着する位置は奥壁２の間柱等がある位置である。このレール材５には長手方向に亙って引っ掛け溝７を設けてある。
【００１０】
天枠材４は角パイプ状に形成されており、レール材５を取り付けた位置と同じレベルで長手方向が前後方向に向くように配置される。この天枠材４の後端には端部ブロック１７が配置され、端部ブロック１７の挿入片１８を天枠材４内に挿入し、挿入片１８の取り付け穴１９と天枠材４の取り付け穴２０とにビス等の固着具２１を締結して端部ブロック１７を取り付けてある。端部ブロック１７には下方に突出する突片を設けることで引っ掛け部６を設けてある。天枠材４は端部ブロック１７の引っ掛け部６を引っ掛け溝７に引っ掛け係止することでレール材５に後端が取り付けられる。この天枠材４は支柱３を立設する間隔で左右に配設して後端がレール材５に固定される。端部ブロック１７の引っ掛け部６の下の突出部３８には固定穴３９が設けられており、この固定穴３９からビスのような固着具４０がレール材５のＶ溝部４１、レール材５を介して奥壁２に打入されて固定される。支柱３は図３、図９に示すように角柱状に形成されており、上下全長に亙って中空部２２を設けてある。この支柱３には一対のタッピングホール２３を上下全長に亙って設けてあり、天枠材４の下方に立設した支柱３の上端面を天枠材４の下面に当接し、天枠材４からタッピングホール２３にビス等の固着具を螺入して天枠材４と支柱３とを連結してある。この支柱３を立設する位置は天枠材４の前後方向の略中間の位置である。
【００１１】
天枠材４の上面には前後方向に亙って凹溝９を凹設してある。この天枠材４に天板８を支持するために取り付ける天板受け材１０は図４に示すように縦片１０ａと下横片１０ｂとで断面略Ｌ字状に形成され、縦片１０ａの上端から下横片１０ｂと反対方向に突出するように上横片１０ｃを連出してあり、上横片１０ｃの先端から下方に垂下片１０ｄを垂下してある。この天板受け材１０は天枠材４の両側に天枠材４と平行に配置され、縦片１０ａが天枠材４の側面に沿わられ、凹溝９の両側で天枠材４の上面に上横片１０ｃが沿わせられ、垂下片１０ｄが凹溝９に挿入されて凹溝９の内側面に沿わせられ、この状態で天枠材４に天板受け材１０が仮止めされる。この天板受け材１０を仮止めした状態で図８に示すように縦片１０ａから天枠材４にビスのような固着具１１が打入されて天枠材４に天板受け材１０が装着される。このように天板受け材１０を仮止めした状態から固着具１１にて本固定するために天板受け材１０の取り付けが容易にできる。
【００１２】
天板８は矩形板状に形成されており、隣り合う天枠材４間に嵌め込むように取り付けられる。天板８を隣り合う天枠材４間に嵌め込んだ状態で天板８の端部が天板受け材１０の下横片１０ｂの上に載置され、下横片１０ｂの下から天板８にビスのような固着具２５が打入されて天板８が天板受け材１０に固定される。下横片１０ｂから天板８に固着具２５を打入して固着するとき、天板８の後端をレール材５に押し付けて固着具２５を打入する。このようすると、レール材５のひねりを防止できる。
【００１３】
支柱３の両側の側面には上下に適当な間隔を隔てて引っ掛け穴２６を穿設してあり、上下の引っ掛け穴２６の間に深さの浅い浅溝２７を形成してある。この引っ掛け穴２６や浅溝２７を設けた前後には上下全長に亙って位置決め溝２８を形成してある。位置決め溝２８は開口の巾が広く奥が狭くなるように傾斜面を設けてある。棚受け材３０は縦片３０ａと横片３０ｂとで断面略Ｌ字状に形成されており、縦片３０ａの前後方向の中央には略逆Ｌ字状の引っ掛け片３１を切り起こしにて形成してあり、引っ掛け片３１の下には浅溝２７の深さと同じ深さの突起３２を突設してあり、縦片３０ａの前後には切り起こしにて位置決め突片３３を形成してある。この棚受け材３０は支柱３の適宜の高さ位置に配置され、引っ掛け片３１を引っ掛け穴２６に挿入して引っ掛け係止することで取り付けられる。このように棚受け材３０を取り付けたとき、突起３２が浅溝２７に嵌合され、位置決め突片３３が位置決め溝２８に挿入される。これにより棚受け材３０が突起３２の浅溝２７への嵌合と位置決め突片３３の位置決め溝２８への挿入にて３点で止められ、棚受け材３０ががたつかないように取り付けられる。また位置決め溝２８には傾斜面を設けて開口側を狭くすると共に奥を狭くしてあるために位置決め突片３３を挿入するとき挿入しやすい。このように棚受け材３０を取り付けた後、支柱３間に棚板３４が架設されて棚板３４の端部が棚受け材３０の横片３０ｂ上に載設される。
【００１４】
支柱３の下端にはアジャスターを介して台座１２が設けられ、台座１２が床面に設置される。台座１２は図１１に示すように直方体状に形成されており、台座１２の一端側に上方に立ち上がる立ち上がり部３６を設けてあり、台座１２の他端側に上下に貫通するように固定穴５３を穿孔してある。軸方向が上下方向を向くアジャスターボルト１３は立ち上がり部３６の上に垂直方向に立設してあり、アジャスターボルト１３にロックナット３７を螺合してある。このようにアジャスターボルト１３を立ち上がり部３６の位置に設けることで台座１２の中心から偏心した位置にアジャスターボルト１３が設けられる。支柱３の下端には下端ブロック４２が設けられており、この下端ブロック４２にはアジャスターボルト１３が螺合できる調整ねじ穴１４を設けてある。この調整ねじ穴１４は複数個設けてあり、この複数個の調整ねじ穴１４を支柱３の対角線方向に位置をずらせて設けてある。この台座１２はアジャスターボルト１３を複数個の調整ねじ穴１４のうち適宜の調整ねじ穴１４に螺合することで支柱３の下端に装着してある。そして支柱３に対して台座１２をアジャスターボルト１３と一緒に回転して支柱３に対して台座１２の高さ位置を調整して台座１２を床面に設置する。アジャストした状態でロックナット３７を締め付けてロックする。
【００１５】
上記のように台座１２に台座１２の中心から偏心した位置でアジャスターボルト１３を立設させたことにより、図１２に示すように支柱３に対して台座１２を回転することで支柱３に対する台座１２の向きを変えて台座１２を邪魔にならない位置で床面に設置できる。また台座１２のアジャスターボルト１３を螺合する調整ねじ穴１４を変えることで台座１２の位置を変えることができ、上記のことと相俟って台座１２を支柱３に対して任意の位置に位置させて台座１２が邪魔にならない位置で床面に設置できる。
【００１６】
図１３は収納ラックを施工した状態の具体的な一例であり、４５はハンガーパイプ、４６は引き出し、４７は網籠、４８はコンテナ、５０はフロアーストッカーである。
【００１７】
【発明の効果】
本発明の請求項１の発明は、叙述の如く支柱の上端と略同レベルで奥壁に沿って水平にレール材を取着し、天枠材の後端に設けた引っ掛け部をレール材の引っ掛け溝に引っ掛け係止し、左右に隣り合う天枠材間に天板を懸架して取り付け、上記支柱を天板の前端より後側に位置させたので、天板の後部をレール材を介して奥壁で支持でき、従来に比べて支柱の本数を減らすことができるものであり、また支柱の位置を天板の前端より後側に位置させて収納物の出し入れをしやすくでき、さらに奥壁に固定して地震等の振動にても倒れないようにできるものである。
【００１８】
また本発明の請求項２の発明は、請求項１において、天枠材の上面に長手方向に亙るように凹溝を凹設し、縦片と下横片とで断面略Ｌ字状に形成せる天板受け材の縦片の上端から下横片と反対方向に上横片を突設すると共に上横片の先端から垂下片を垂下し、天板受け材の縦片を天枠材の側面に沿わせると共に上横片を天枠材の上面に沿わせて垂下片を天枠材の凹溝に挿入係止し、天板受け材の縦片から天枠材にねじを螺入して固定し、天板の端部を天板受け材の下横片に載設したので、天板を天枠材に支持する天板受け材を天枠材に取り付けるとき、天板受け材の縦片を天枠材の側面に沿わせると共に上横片を天枠材の上面に沿わせて垂下片を天枠材の凹溝に挿入係止することにより、天板受け材を天枠材に仮止めし、この状態で天板受け材の縦片から天枠材にねじを螺入して固定することができるものであって、天板受け材を所定位置に容易に取り付けることができるものである
また本発明の請求項３の発明は、請求項１または請求項２において、床面に設置する台座に台座の中心から偏心した位置で高さ調整用のアジャスターボルトを立設し、支柱の下端に設けた調整ねじ穴にアジャスターボルトを螺合したので、アジャスターボルトを調整ねじ穴に対して回転操作してアジャストすることで台座を床面に設置できるのは勿論、支柱に対してアジャスターボルトと一緒に台座を回転することにより支柱に対する台座の位置を変えることができ、邪魔にならない位置で台座を床面に設置できるものである。
【００１９】
また本発明の請求項４の発明は、請求項３において、支柱の下端に調整ねじ穴を位置をずらせて複数個形成したので、アジャスターボルトを螺合する調整ねじ穴を変えることでさらに台座の位置を変えることができ、さらに邪魔にならない位置で台座を床面に設置できるものである。
【図面の簡単な説明】
【図１】本発明の実施の形態の一例の全体を示す斜視図である。
【図２】同上の側面から見た断面図である。
【図３】同上の支柱の側面図である。
【図４】同上の天枠材や天板を固定する部分の一部切欠分解斜視図である。
【図５】同上の天枠材の後端をレール材に取り付けた状態の一部切欠分解斜視図である。
【図６】同上の組み立て状態の一部切欠斜視図である。
【図７】同上の天枠材の後端をレール材に固定した部分の断面図である。
【図８】同上の天枠材や天板受け材や天板を固定した状態の断面図である。
【図９】同上の支柱に棚受け材を固定する状態を示す斜視図である。
【図１０】同上の支柱と台座の分解斜視図である。
【図１１】同上の台座とアジャスターボルトを示す斜視図である。
【図１２】（ａ）（ｂ）（ｃ）は支柱と台座の位置関係の調整状態を説明する底面図である。
【図１３】同上の収納ラックの具体的な例を示す正面図である。
【符号の説明】
１  収納庫
２  奥壁
３  支柱
４  天枠材
５  レール材
６  引っ掛け部
７  引っ掛け溝
８  天板
９  凹溝
１０  天板受け材
１０ａ  縦片
１０ｂ  下横片
１０ｃ  上横片
１０ｄ  垂下片
１２  台座
１３  アジャスターボルト
１４  調整ねじ穴
【図１】
0003760867.tif 000002
【図２】
0003760867.tif 000003
【図３】
0003760867.tif 000004
【図４】
0003760867.tif 000005
【図５】
0003760867.tif 000006
【図６】
0003760867.tif 000007
【図７】
0003760867.tif 000008
【図８】
0003760867.tif 000009
【図９】
0003760867.tif 000010
【図１０】
0003760867.tif 000011
【図１１】
0003760867.tif 000012
【図１２】
0003760867.tif 000013
【図１３】
0003760867.tif 000014